(57)【要約】  流体調整装置等の、流量制御弁用密閉ディスク（５４）は、密閉面（８４）における第１の硬度および厚さに沿って密閉面から離れて配置（８２）された第２の硬度を有するエラストマー材料から形成される本体を有する。エラストマー材料は、密閉面（８４）にてより柔らかく、密閉面（８４）から離れた箇所にてより硬くなる。
2015530541.tif 000002
【特許請求の範囲】
【請求項１】
流量制御弁用密閉ディスクであって、
前側から後側まで延在する厚さを有する本体と、
前記前側にて画定される密閉面であって、弁座に密閉係合するように配置される、密閉面と、を備え、
前記本体がエラストマー材料を含み、前記エラストマー材料は、前記密閉面における第１の硬度および前記厚さに沿って前記密閉面から離れて配置された第２の硬度を有し、前記第１の硬度は、前記第２の硬度よりも柔らかい、密閉ディスク。
【請求項２】
前記エラストマー材料の硬度が、前記密閉面と前記本体部分との間で徐々に変化する、請求項１に記載の密閉ディスク。
【請求項３】
前記硬度が、実質的に一定の勾配で変化する、請求項１または２に記載の密閉ディスク。
【請求項４】
前記硬度が、変化する勾配で変化する、請求項１〜３のいずれか一項に記載の密閉ディスク。
【請求項５】
前記本体が、少なくとも、第１の厚さを有する第１の層、および第２の厚さを有する第２の層を含む、エラストマー材料の複数の層から形成され、前記密閉面は、前記第１の層によって画定され、エラストマー材料の前記第１の層は前記第１の硬度を有し、前記第２の層は前記第２の硬度を有する、請求項１〜４のいずれか一項に記載の密閉ディスク。
【請求項６】
エラストマー材料の少なくとも第３の層が、前記第２の層に固定される、請求項１〜５のいずれか一項に記載の密閉ディスク。
【請求項７】
前記第１の層が、前記第２の層に固定される、請求項１〜６のいずれか一項に記載の密閉ディスク。
【請求項８】
前記第１および第２の層のうちの１つ以上が、それぞれの厚さ全体にわたって実質的に一定の硬度を有する、請求項１〜７のいずれか一項に記載の密閉ディスク。
【請求項９】
前記第１および第２の層のうちの１つ以上が、それぞれの厚さにわたって徐々に変化する硬度を有する、請求項１〜８のいずれか一項に記載の密閉ディスク。
【請求項１０】
前記流体制御弁が流体調整装置を備え、前記弁本体が調整装置本体を備える、請求項１〜９のいずれか一項に記載の密閉ディスク。
【請求項１１】
流量制御弁であって、
弁本体と、
前記弁本体内に作動的に配置される弁座と、
前記弁本体内に配置される第１の端部およびアクチュエータに作動的に結合されるように配置される第２の端部を有する弁茎と、
密閉ディスクを備える流量制御部材であって、前記弁茎の前記第１の端部に作動的に結合される、流量制御部材と、を備え、前記密閉ディスクは、
前側から後側まで延在する厚さを有する本体と、
前記前側にて画定される密閉面であって、前記弁座に密閉係合するように配置される密閉面と、を備え、
前記本体がエラストマー材料を含み、前記エラストマー材料は、前記密閉面に
おける第１の硬度および前記厚さに沿って前記密閉面から離れて配置された第２の硬度を有し、
前記第１の硬度は、前記第２の硬度よりも柔らかい、流量制御弁。
【請求項１２】
前記エラストマー材料の硬度が、前記密閉面と前記本体部分との間で徐々に変化する、請求項１１に記載の流量制御弁。
【請求項１３】
前記本体が、少なくとも、第１の厚さを有するエラストマー材料の第１の層、および第２の厚さを有するエラストマー材料の第２の層を含む、エラストマー材料の複数の層から形成され、前記密閉面は、前記第１の層によって画定され、前記第１の層は前記第１の硬度を有し、前記第２の層は第二の硬度を有する、請求項１１または１２に記載の流量制御弁。
【請求項１４】
前記流体制御弁が流体調整装置を備え、前記弁本体が調整装置本体を備える、請求項１１〜１３のいずれか一項に記載の流量制御弁。
【請求項１５】
前記調整装置本体および前記弁茎の前記第２の端部に作動的に接続されるアクチュエータをさらに備える、請求項１１〜１４のいずれか一項に記載の流量制御弁。
【請求項１６】
前記エラストマー材料がゴム化合物を含む、請求項１１〜１５のいずれか一項に記載の流量制御弁。
【発明の詳細な説明】
【技術分野】
【０００１】
本発明は、概して、流体調整装置等の、流量制御弁用密閉ディスクに関し、具体的に、複数の硬度を有する、そのような密閉ディスクに関する。
【背景技術】
【０００２】
典型的なガス分配システムがガスを供給する際にその圧力は多数の要因によって異なる。これらの要因は、例えば、システムにかけられる要求、気候、供給源、および／または他の要因を含み得る。しかしながら、炉、オーブンなどのガス設備を備えたほとんどのエンドユーザ施設は、ガスが所定の圧力で供給されることと、エンドユーザ設備の最大容量で、またはそれ以下にすることを必要とする。したがって、プロセス流体調整装置は、供給されるガスがエンドユーザ施設の要件を満たすことを確認するために、これらの分配システムに搭載される。プロセス流体調整装置は、同様の機能性を得るために、液体の送達の調整にも使用される。
【０００３】
典型的なプロセス流体調整装置は、調整装置本体、制御要素、およびアクチュエータを含む。調整装置本体は、流体流路、流体入口および流体出口を画定する。弁座を画定するオリフィスが流体入口と流体出口との間の流体流路に沿って本体内に作動的に配置される。流体流路は、流体入口から、オリフィスを通って、流体出口まで延在する。制御要素は、オリフィスを通る流体流路に沿った流体の流れを調整するために切り替わる。制御要素は、弁座を閉鎖位置に密閉係合し、開放位置で弁座から離れている。当技術分野においてよく理解される方法では、アクチュエータは、流体流路内の圧力変化に対応してオリフィスに対して制御要素の位置を制御するために調整装置本体および制御要素に動作可能に接続され、予め選択された範囲内、例えば、流体出口でのプロセス流体圧力を維持する。
【０００４】
図１は、流量制御要素１０、弁茎１２、およびオリフィス１４を含み、プロセス流体調整装置に対する典型的な弁トリムの数部分を単離し拡大した詳細図を示す。オリフィス１４は、円筒管の形状を有しており、例えば、調整装置本体１６内の相補内部ねじ山２０と係合する外部ねじ山１８で、調整装置本体１６に固定され、流体流路にある流体が通過しなければならない開口部２２を囲み、形成する。弁座２４は、オリフィス１４の上部端または輪状端に沿って画定される。流量制御要素１０は、弁茎１２の遠位端に置かれる。流量制御要素１０は、弁茎１２の遠位端部を受け入れるソケット等の取付部２６、および弁座２４と密閉係合するように配置される密閉ディスク２８を含む。密閉ディスク２８は、流量制御要素１０の前面側に配置され、取付部２６は、前面側とは反対であり、流量制御要素１０の背面側に配置される。図１に示す例示的な構成では、密閉ディスク２８が弁座２４よりも大径の円形の密閉面３０を含む。取付部２６は、弁茎１２の遠位先端部にしっかりとはめる、および／またはロックされ、密閉面３０は、流量制御要素１０がロックアップ位置、すなわち、開口部２２と共に調整装置本体１６を通る流体の流れを停止させる制御要素１０の極端または最大閉鎖位置に、移動される際に弁座２４を密封的に係合するように配置される。
【０００５】
少なくとも密閉ディスク２８、および本実施例では、全体の流量制御要素１０は、典型的には、ゴムまたは密閉ディスク２８全体にわたって実質的に均一な構成を有する同様の弾性の圧縮可能な密閉性材料で作られている。参照しやすくするために、用語「エラストマー材料」は、弁およびプロセス流体調整装置業界で一般的に使用されるすべての弾力性の圧縮可能な密閉材を指し、例として、ゴム、ニトリルゴム、エチレンプロピレンジエンモノマーゴム、および弁密閉の技術分野で理解される他の天然や合成ゴム化合物、ポリマ
ー、および／またはエラストマーを挙げる。
【０００６】
密閉ディスク２８が弁座２４に係合すると、特にロックアップ位置である場合、弁座２４が密閉ディスク２８のエラストマー材に押し込みそして密閉ディスク２８の密閉面３０を剪断および／または切断する可能性がある。剪断磨耗の発生および／または弁座２４による切断は、より柔らかいエラストマー材料の方が、より硬いエラストマー材料よりも一般的に生じやすい。したがって、密閉ディスク２８は、典型的には、密閉ディスク２８本体の全体にわたってより硬い材料、例えば硬度計で約７０と９０の間の値を特徴とするエラストマーから形成され、流量制御要素１０の動作中に密閉面３０における過度の剪断磨耗や弁座２４に対する切断を防止する。しかしながら、密閉ディスク２８本体の全体にわたってより硬い材料を使用すると、特にロックアップ時には、弁座２４に対して密閉ディスク２８を密閉するために必要となる作動力の量が大きくなる。オリフィス１４を密閉するために必要となる作動力の増加は、流体圧力調整装置において特に問題となり得、流量制御弁の性能特性を劣化させる可能性がある。
【発明の概要】
【０００７】
本開示の教示に従ったいくつかの例示的な態様によると、密閉ディスクは、流体調整装置等の流量制御弁に対して提供される。密閉ディスクは、厚さが前側から後側まで延在し前側にて密閉面を画定する本体を有する。密閉面は、弁座に密閉係合するように配置され、本体はエラストマー材料またはゴム化合物等、その他の適切な材料で作られる。エラストマー材料は、密閉面における第１の硬度および厚さに沿って密閉面から離れて配置された第２の硬度を有し、エラストマー材料は、密閉面にてより柔らかく、後方へ密閉面から離れた箇所にてより硬くなる。
【０００８】
本開示の教示による他の例示的な態様によると、流体制御弁は、弁本体、弁座、弁茎および弁茎により作動可能に支持される密閉ディスクを含む。弁茎は、密閉ディスクを弁座に対して密閉係合するために、選択的に押すように配置される。密閉ディスクは、厚さが前側から後側まで延在し前側にて密閉面を画定する本体を含む。密閉面は、弁座に密閉係合するように配置される。本体は、エラストマー材料、またはゴム化合物等、その他の適切な材料で作られる。エラストマー材料は、密閉面における第１の硬度および厚さに沿って密閉面から離れて配置された第２の硬度を有し、エラストマー材料は、密閉面にてより柔らかく、後方へ密閉面から離れた箇所にてより硬くなる。
【０００９】
さらに、１つ以上の前述の例示的な態様によると、密閉ディスク、流体制御弁、および／または流体調整装置は、任意に１つ以上の次の好ましい形態を含み得る。
【００１０】
いくつかの好ましい形態において、密閉面での材料は、ＡＳＴＭのＤ２２４０−０５（２０１０）ゴム特性の標準試験方法（硬度計の硬度）に従って測定され、約４０と約６０の間の硬度計定格を有する。（本明細書に記載のすべての硬度計定格は、このＡＳＴＭのＤ２２４０−０５（２０１０）標準を参照した上で記載されるものである。）
【００１１】
いくつかの好ましい形態において、密閉面から離れた本体の部分におけるエラストマー材料は、硬度計定格として約７０と約９０の間の硬度を有する。
【００１２】
いくつかの好ましい形態では、エラストマー材料の硬度は、密閉面と密閉面から離れた本体部分との間の厚さに沿って徐々にかつ／または継続的に変化する。硬度は、厚さにわたって実質的に一定の勾配で変化されることがある。別の形態として、硬度は厚さにわたって変動または可変の勾配で変化することがある。
【００１３】
いくつかの好ましい形態において、密閉ディスクは、少なくとも、第１の厚さを有する
第１の材料層および第２の厚さを有する第２の材料層を含み、少なくとも２つ以上のエラストマー材料の層から形成される。密閉面は第１の層によって画定されてもよく、第１の材料層は、第１の硬度を有してもよい。第２の層は第２の硬度を有してもよく、第１の材料層は第２の材料層に対して固定されてもよい。第１の材料層は、第２の材料層に固定されてもよい。
【００１４】
いくつかの好ましい形態において、少なくともエラストマー材料の第３の層がエラストマー材料の第２の層に固定され、第３の層は第１の層と第２の層との間に配置してもよい。あるいは、第２の層は、第１の層と第３の層の間に配置してもよい。
【００１５】
幾つかの好ましい形態に置いて、適切な材料の一つ以上の層はそれぞれの厚さにわ
たって実質的に一定の硬度を有する。材料の１つ以上の層は、それぞれの厚さにわたって徐々に変化する、または可変の硬度を有してもよい。
【００１６】
いくつかの好ましい形態において、エラストマー材料は、ゴム化合物、または他の適切な材料である。
【００１７】
いくつかの好ましい形態において、流体制御弁は、流体調整装置であり、弁本体は、調整装置本体である。
【００１８】
いくつかの好ましい形態において、また、上記の態様および／または好ましい形態の任意の１つ以上と任意に組み合わせて、第１の硬度は、硬度計で約４０〜６０の間である。
【００１９】
いくつかの好ましい形態において、また、上記の態様および／または好ましい形態の任意の１つ以上と任意に組み合わせて、第２の硬度は、硬度計で約７０〜９０の間である。
【００２０】
さらなる任意の態様および形態を開示し、任意の機能的に適切な方法で、単独または任意の機能的に実行可能な組み合わせのいずれかで、開示の教示と一致して構成してもよい。他の態様および利点は、以下の詳細な説明を検討することによって明らかになるであろう。
【図面の簡単な説明】
【００２１】
【図１】典型的な弁トリムの部分の断面図である。
【図２】本開示の教示による例示的な構成において、密閉ディスクを含む弁トリム付きの流体調整装置の部分切断側面図である。
【図３】図２の外接部分の観点から弁トリムの拡大断面図であり、より詳細に例示的な密閉ディスクを図示する。
【図４】図２の外接部の観点から拡大断面図であり、より詳細に本開示の教示による別の例示的な構成で密閉ディスクを図示する。
【図５】より詳細な本開示の教示によるさらに別の例示的な構成において、密閉ディスクを含む弁トリムの部分を図示する拡大断面図である。
【発明を実施するための形態】
【００２２】
図２および図３の例示的な構成において、流量制御弁、例えば流体調整装置５０にあるものは、本開示の教示による密閉ディスク５４および取付部５５を含む流量制御要素５２を備える。流体調整装置５０は、弁本体、例えば調整装置本体５６、流量制御部材、例えば流量制御要素５２、弁座５８、弁茎６０、およびアクチュエータ６２を有する、一般的に知られている流体調整装置である。流量制御要素５２は、弁茎６０に、例えば流量制御要素５２の取付部５５において画定されたソケット６３内に配置される弁茎６０の第１の端部６１に、動作的に取り付けられる。アクチュエータ６２は、調整装置本体５６および
弁茎６０の第２の端部に動作的に接続され、弁座５８から離れた開放位置と、弁座５８に対して係合した閉鎖位置と制御要素５２を切り替える。それによってアクチュエータ６２は、当該技術分野において理解される方法で、予め選択された圧力範囲内、または所定圧力に、調整装置本体５６からの出口の流体圧力を調整および／または維持する。しかしながら、密閉ディスク５４は、流体調整装置の使用に限定されるものではなく、本明細書の説明を検討すれば明らかであるように、流量制御弁の他のタイプにも使用可能である。
【００２３】
調整装置本体５６は、入口６４、出口６６、入口６４と出口６６との間に開口部６８、および入口６４から出口６６まで開口部６８を介し延在する流体流路７０を画定する。弁座５８は、好ましくは、開口部６８を囲むオリフィス７２の縁によって規定される。オリフィス７２は、好ましくは、大体中空の円筒体を有しており、開口部６８を囲むように、例えば糸７４により、調整装置本体５６に固定される。弁座５８は、好ましくは円形である。流量制御要素５２は、密閉ディスク５４を支持し、開口部６８を通過する流体の流れを止める閉鎖位置と、開口部６８を通過する、最大流量を可能にする完全開放位置とを切り替える。
【００２４】
アクチュエータ６２は、当技術分野で理解される方法で、出口６６における流体圧力の変化に対応し、閉鎖位置と完全開放位置と、流量制御要素５２を切り替えるように構成される。この例示的な構成において、アクチュエータ６２は、アクチュエータハウジング７６内に配置され、結合部（目に見えない）によって弁茎６０に動作可能に接続される、可撓性の隔膜（目に見えない）を含む隔膜調整装置である。出口６６での出口流体圧力の変化に対応して、隔膜は位置を切り替え、その結果制御要素５２の位置を切り替え、それにより出口６６にて予め選択された所定圧力範囲を維持する。アクチュエータ６２の構成要素および機能は、当技術分野において十分理解されているので、さらに詳細な構成要素およびその機能性の説明は、本明細書に提示されない。さらに、本開示の教示は、今回のアクチュエータの特定のタイプに限定されず、他のタイプのアクチュエータとも使用可能である。
【００２５】
拡大図の図３および図４を参照すると、密閉ディスク５４は、前側８０と後側８２との間に延在する厚さＴを特徴とする本体を有し、前側８０により画定される密閉面８４、および後側８２で画定されるか、そこから延在する取付部５５を有する。流量制御部材５２は、閉鎖位置にあり、密閉面８４は、弁座５８に対して密閉係合される。密閉ディスク５４は、エラストマー材料から形成され、密閉面８０は、弁座５８に対して圧縮される。エラストマー材料は、密閉面８４における第１の硬度および厚さＴに沿って密閉面８０から離れて配置された第２の硬度を有する。エラストマー材料は、密閉面にてより柔らかく、後側８２の方向へ密閉面から離れた箇所にてより硬くなる。別の言い方をすれば、後側８２の方向へ密閉面８０から離れたエラストマー材料は、密閉面８０でのエラストマー材料よりも硬い。
【００２６】
例示的な構成を示す図２および図３において、密閉ディスク５４を形成するエラストマー材料は、密閉面８４でより柔らかい硬度計の硬度から後側８２でより硬い硬度計の硬度まで、厚さＴに沿って徐々にかつ継続的に変化する硬度を有する。好ましくは、エラストマー材料の変化は、密閉面８４から、密閉面８４より離れた箇所、例えば密閉面８４と後側８２との間の中間厚さ、または丁度後側８２まで、実質的に一定の勾配で変化する。しかしながら、エラストマー材料の硬度は、厚さＴに沿って可変勾配で変化することもある。１つの好ましい構成において、エラストマー材料は、密閉面８４にて約４０〜約６０の硬度計定格を、密閉ディスク５４の後側８２にて約７０〜約９０の硬度計定格を有し、硬度計は密閉面８０から後側８２まで実質的に一定の比率で変化する。
【００２７】
図４の例示的な構成においては、密閉ディスク５４の本体は、少なくとも２層のエラス
トマー材料、すなわち第１の層５４ａおよび第２の層５４ｂから形成される。第１の層５４ａは、密閉面８４を画定する第１の側面および密閉面８４の反対側にある第２の側面８６を有する。第２の層５４ｂは、後側８２を画定する、第１の側面８８および第２の側面９０を有する。第２の層５４ｂの第１の側面８８は、第１の層５４ａの第２の側面８６に面する。第２の側面９０は、例えば統合するまたは固定することによって、取付部５５に連結される。第１の層５４ａは第１の硬度を有し、第２の層５４ｂは第１の層５４ａの第１の硬度よりも硬い、第２の硬度を有する。別の言い方をすれば、第１の層５４ａは、第２の層５４ｂよりも柔らかい。
【００２８】
好ましくは、第１の層５４ａの第１の側面８８は、例えば第１の層５４ａの第２の側面に、隣接する層に固定される。隣接する層を、例えば接着剤、熱溶接、および／または機械的な留め具またはクランプで、相互に固定してもよい。第１の層５４ａは、第１の厚さＴ１を有する。第２の層５４ｂは、第２の厚さＴ２を有する。密閉ディスク５４の厚さＴは、例えばＴ１とＴ２との和、前側８０と後側８２との間の層の厚さの合計に等しい。本実施例において２層の５４ａ、５４ｂしか示さないが、本体は、密閉ディスク５４の厚さＴが全層の厚さの合計に等しくなるように、連続して積層された２層より多い層から形成してもよい。このような構成においては、１つまたは複数の追加の層は、第１の層５４ａと第２の層５４ｂとの間に挟まれてもよい。代替的にまたは追加的に、エラストマー材料の追加の層は、第２の層５４ｂの後側８２に対して積層してもよい。
【００２９】
１つの構成において、層５４ａ、５４ｂの各層は、それぞれの厚さＴ１またはＴ２にわたって一定の硬度を有する。１つの好ましい構成において、第１の層５４ａは、約４０〜約６０の硬度計の硬度を有する。第２の層５４ｂは、約７０〜約９０の硬度計の硬度を有する。別の構成において、層５４ａ、５４ｂの１つまたは両方における硬度は、厚さＴに沿って、密閉面８４で、またはその方向へ、より柔らかい硬度計の硬度から、後側８２の方向へより硬い硬度計の硬度まで、徐々にかつ継続的に変化する。いずれの構成では、密閉面８４におけるエラストマー材料は、好ましくは最も柔らかいエラストマー材料であり、後側８２の方向へ密閉面８４から離れたエラストマー材料は、密閉面におけるエラストマー材料よりも硬い。
【００３０】
図２〜４に示す各例示的な構成において、取付部５５および密閉ディスク５４は、密閉ディスク５４の少なくとも一部分、例えば上記のように硬度勾配を有するエラストマー材料の単一成形片と、単一の統合片として形成可能である。代替的に、取付部５５は、密閉ディスク５４と別の一片とし、締結具、接着剤、および／または溶接によって密閉ディスク５４に結合してもよい。図３の例示的な構成において、密閉ディスク５４および取付部５５は、成形エラストマー材料の単一の統合片であり、エラストマー材料の硬度は、密閉面８４で最も柔らかい硬度計の硬度から取付部５５の遠位端９２で最も硬い硬度計の硬度まで、継続的に変化する。図４の例示的な構成において、取付部５５は第２の層５４ｂとは別部品であり、エラストマー材料、金属、またはプラスチックから作られてもよく、第２の層５４ｂに固定される。
【００３１】
図５は、もう１つの例示的な構成を示し、密閉ディスク５２は、好ましくは、円環状の形状にあり、座部１０２によって画定されたディスクハウジング１００内に支持され、好ましくは流量制御要素１０６の端面１０４に画定された円形の溝の形状である。密閉ディスク５２は、エラストマー材料で作られる。エラストマー材料は、密閉面８４における第１の硬度および後側８２の方向へ厚さＴに沿って密閉面から離れた第２の硬度を有し、密閉面８４における第１の硬度は、第２の硬度より柔らかい。この例示的な構成では、取付部は、密閉面８４と反対の円形の輪の後側８２により画定される。エラストマー材料の硬度は、好ましくは、厚さに沿って密閉面８４から、後側８２の方向へ、好ましくはそこに至って、継続的に変化する。別の構成においては、密閉ディスク５２は、異なる硬度のエ
ラストマー材料の２層以上から形成されてもよく、上記の教示の通りに、密閉面８４を画定する層は密閉面８４から離れた層より柔らかい。
【００３２】
密閉ディスク５２の他の形状および構成も、本開示の教示に従って形成されてもよく、本開示は、図に示す特定の例示的な構成として示し説明した、密閉ディスク５２の特定の形状および／または全体的な流量制御要素５２に限定されない。
【００３３】
本開示の教示による密閉ディスク５４は、いくつかの構成において、特に低力のロックアップ構成において、住宅、商業、および／または工業環境で使用するガス調整器のような流体調整装置のロックアップ性能を向上させることがある。例えば、いくつかの構成において、このような密閉ディスクは、弁のロックアップを得ることに必要な閉鎖力を減少しながら弁座に対する圧縮から生じる切断および／または他の損傷等のせん断力によって生じる密閉面への損傷を最小限化できる。いくつかの構成において、密閉ディスクは、１つ以上の利点を提供でき、例えば密閉ディスクおよび／または完全にゴムまたはエラストマー材料で作られる流量制御要素を提供できる。より軟らかいゴムは低圧天候で密閉することを可能にし得る。より硬いゴムは切断に抵抗し、密閉ディスクの全体的な形状の過度の変形を防止するために、強力な構造的支持を提供可能である。このような変化は、流体調整装置の全体的な性能を向上させることもある。このような改善はまた、他のタイプの流量制御弁でも同様の利点を提供し得る。
【００３４】
本明細書に記載の任意の構成の各々は、本明細書に記載の説明によって示唆された１つ以上の機能性の任意の組み合わせを提供するのに十分な組み合わせまたは順列の任意のセットに構成されてもよい。さらに、各例示的な構成に関して開示された特徴の各々は、当業者によって理解されるような機能性の任意の有用な組み合わせを提供するなど、任意の機能的な組み合わせで組み合わされてもよいことが当然である。
【００３５】
本明細書に開示された例示的な密閉ディスクおよび流量制御弁の多くの変更は、前述の説明の観点から、当業者には明らかであろう。したがって、この説明は、例示のみとして解釈されるべきであり、当業者が本発明を作成し使用し、実施する好ましい態様を教示することを可能にする目的のために提示される。本開示および添付の特許請求項の範囲内で、すべての変更に対して排他的権利を主張する。
【図１】
2015530541.tif 000003
【図２】
2015530541.tif 000004
【図３】
2015530541.tif 000005
【図４】
2015530541.tif 000006
【図５】
2015530541.tif 000007
【国際調査報告】
2015530541.tif 000008
2015530541.tif 000009